(57)【特許請求の範囲】
【請求項１】
カレンダー吊下げ用台紙と、この台紙に設けたフックに掛ける複数のカレンダー用紙とよりなり、
前記フックは、切込線部分で分離して立ち上げて形成し、フックを形成する際の折り曲げ線の方向を、台紙を壁に吊下げたときの重力方向と平行として、切込線の形状はカレンダー用紙がフック前面に落ちないように、傾斜部を設け、
前記カレンダー用紙は前記フックに掛ける１個又は左右一対の穴を有していることを特徴とする壁掛けカレンダー。
【請求項２】
前記穴は、これに挿入した前記フックを穴の上方へガイドするスリットを有していることを特徴とする請求項１記載の壁掛けカレンダー。
【発明の詳細な説明】
【技術分野】
【０００１】
本発明は、毎月めくりまたは二ケ月めくりの壁掛けカレンダーに関するものである。
【背景技術】
【０００２】
従来の壁掛けカレンダーは、日めくり、週めくり、毎月めくり、二ヶ月めくり、三ヶ月めくりあるいは一年表示の壁掛けカレンダーがあり、その各カレンダー用紙に日付や曜日や月、年度、絵や写真が記載されている。ここで、毎月めくりと二ケ月めくりの壁掛けカレンダーについて記述する。
従来の一般的壁掛けカレンダーは、１年分のカレンダー用紙（１２枚または６枚）が用紙の上部を吊り具で綴じられているものが多く見られる。
また、別な従来の一般的な壁掛けカレンダーは、１年分のカレンダー用紙（１２枚または６枚）が用紙の上部をリング状の金属で綴じられている。
月めくりカレンダーは前後の月のカレンダーが表示されないため、翌月の予定日をカレンダーで見ることができないため、非常な不便があった。また前月の日付も同様に見ることができないため不便であった。それらの不便を解消するために例えば図１９に示すように、連続したカレンダー用紙を月毎に折り曲げて、数か月分の日付を表示するカレンダーが開発されている。（特許文献１参照）
あるいは、３ケ月分掲示したカレンダーであって、各月間に折れ線を設けたカレンダーが提案されている。（実用新案文献１参照）
【先行技術文献】
【特許文献】
【０００３】
【特許文献１】特開２００２−１０３８４９公報。
【特許文献２】登録実用新案第３０９０１９２公報。
【発明の開示】
【発明が解決しようとする課題】
【０００４】
＜１＞前記従来の一般的壁掛けカレンダーは、用紙の上部が吊り具で綴じられている。月が替わるたびに、吊り具を片手で押え、片手で用紙を剥ぎ取り、剥ぎ取ったカレンダー用紙をゴミ箱に捨てる、というように手間のかかる作業をしていた。また、数か月分の日付を見ることができず不便であった。
＜２＞前記別な従来の一般的な壁掛けカレンダーは、用紙の上部をリング状の金属で綴じられている。月が代るたびに、壁からカレンダーを取外し、片手で表面のカレンダー用紙をめくり、表面の用紙を裏側に回して、再度カレンダーを壁に吊るす、というように手間のかかる作業をしていた。また、数か月分の日付を見ることができず不便であった。
＜３＞前記連続したカレンダー用紙（特許文献１参照）を使用したカレンダーは、壁に掲示された状態では見易く便利であるが、台板や連続して折れ目をつけたカレンダー用紙の製作費は高く、また月毎のカレンダーの表示の変更が用紙を折りたたんだりして大変な手間である。
＜４＞前記した別な３ケ月分掲示したカレンダー（実用新案文献１参照）も同様に、連続したカレンダー用紙の製作費が高く、また２カ月毎のカレンダー表示の変更に限られるため不便もある。    
【課題を解決するための手段】
【０００５】
上記のような課題を解決するために、本発明の壁掛けカレンダーは、カレンダー吊下げ用台紙と、この台紙に設けたフックに掛ける複数のカレンダー用紙で構成する。前記フックは台紙に設けた切込線を分離して立ち上げて形成し、カレンダー用紙はフックに掛ける１個または左右一対の穴を有している。
あるいは前記穴はフックを穴の上方にガイドするスリットを有している。
【発明の効果】
【０００６】
本発明の壁掛けカレンダーは以上説明したようになるから次のような効果を得ることができる。
＜１＞本発明の壁掛けカレンダーは切込線を設けた台紙と穴をあけただけのカレンダー用紙で構成されるため製作コストが安い。
＜２＞数か月分のカレンダーを表示することができ便利である。
＜３＞  カレンダー表面の用紙の取替作業が、用紙を摘まんでフックから取外しそのまま上方または下方のフックに掛けるだけの作業で済み、取替が容易である。
＜４＞  また、カレンダーの月表示と日付表示を順序正しく整列させることができる。つまり、上方を過去、下方を未来の日付とする、あるいはその逆の整列も可能であり、見易い。
＜５＞  季節感や変化を表現するために月毎に絵や写真を掲載したカレンダーの場合、数か月分の日付を表示しながら、一つだけの絵や写真を表示することができ、煩雑さや違和感のない壁掛けカレンダーを提供することができる。
＜６＞  カレンダー用紙をフックに掛けて支えることから、従来にない形状のカレンダー用紙を使用することが可能である。例えば円形やハート型のカレンダー用紙が使用可能である。そのため、デザイン性の優れるカレンダーを製作することができる。
＜７＞  カレンダー用紙に設ける穴をスリット形状としたため、カレンダー用紙が揺れ難く、かつ台紙から外れ難くい構造となり、見易く使い易い。
＜８＞  押え片を利用することで、カレンダー用紙が台紙から外れることがない構造であり、使い易い。
【発明を実施するための最良の形態】
【０００７】
以下図面を参照にしながら本発明の好適な実施の形態を詳細に説明する。
【実施例１】
【０００８】
図１は本発明の壁掛けカレンダー１の実施例１であり、（Ａ）は正面図、（Ｂ）は側面図である。
実施例１の壁掛けカレンダーは、カレンダー吊下げ用台紙２と、この台紙２に設けたフック３に掛ける複数のカレンダー用紙４とよりなり、
前記台紙２の前記フック３は、切込線５部分で分離して立ち上げて形成し、前記カレンダー用紙４は前記フック３に掛ける左右一対の穴６を有していることを特徴としている。
台紙２には具体的に、台紙２を壁に吊るす装置２２と、切込線５部分で分離して立ち上げて形成した左右一対(左側のフック３１と右側のフック３２)のフック３とが、上下方向に２段以上（中段に左右一対のフック３３とフック３４、下段に左右一対のフック３５とフック３６の合計３段）設けられている。
カレンダー用紙４は、カレンダー用紙６の上方に左右一対の穴６を有している。ここでカレンダー用紙６の上方とは、カレンダー用紙の重心より上を言う。また左右とはカレンダー用紙の重心線（使用状況で、重心を通る垂直線）の左と右を言う。一対とは左右の穴の大きさ、左右の穴の間隔、左右の穴の上下位置関係が一定な２個の穴を一対と言う。実施例の複数のカレンダー用紙４はいずれも同じ左右一対の穴６を有している。
（切込線５の詳細説明は後記する。）
【０００９】
実施例１の壁掛けカレンダーは、月毎一枚のカレンダー用紙４を１２枚以上（一年分以上）、台紙２に掛けることで構成している壁掛けカレンダーである。図１では３枚のカレンダー用紙４が表示されているが、他の９枚以上のカレンダー用紙４は表面のカレンダー用紙の背後隠れて見えない状態である。
実施例１の台紙２の大きさは、厚さボール紙程度、幅２０ｃｍ程度、長さ５０ｃｍ程度であり、カレンダー用紙４の大きさはＡ４サイズ程度の壁掛けカレンダーを表している。
以下に個々の部材に関して説明する。
【００１０】
台紙２の素材は紙であり、薄いプラスチック（以下本明細書では台紙と呼ぶ）であってもよい。台紙の長さは２０ｃｍ程度から１ｍ程度でよい。台紙の幅は、縦一列にフック３を設ける場合（実施例２）には５ｃｍ程度でよい。台紙の幅は、左右一対のフックを設ける場合（実施例２）には５０ｃｍ程度あってもよい。
素材の紙は、台紙２を壁に吊るす装置２２とフック３部分にカレンダー用紙４を吊下げるだけの強度と丈夫さが必要であり、薄紙ではなく画用紙等の多少硬めの紙がよい。
台紙はこのように平板、矩形の紙やプラスチックに切込線５や台紙を壁に吊るす装置２２を設けるだけで機能するため、非常に安価に容易に製作可能である。
【００１１】
実施例１の台紙２を壁に吊るす装置２２は、台紙２に穴をあけ紐で吊下げる方式であるが、クリップで止める方法や金具を用いる方法などの他の吊下げ方法であってもよい。
【００１２】
また、台紙２を壁に吊るす装置２２は、台紙２の上方に単に穴を設け、その穴を使って直接壁の釘や鋲に吊下げる方法でもよい（図８、実施例２に表す）。その場合は台紙以外の材料や部品を必要とせず、非常に安価に容易に台紙２を製作することができる。
【００１３】
台紙２は、切込線５分離して立ち上げて形成した左右一対のフック３が設けられている。ここで左右のフック３とは、台紙２の重心線２１（使用状況で重心を通る垂直線）の左右に１個ずつフック３が位置することがよい。
また左右一対のフック３とは、左右２個のフック３の相互の間隔と上下位置関係は一定であって、この関係を持った２個のフック３を一対のフック３と言う。
つまり、中段の左右一対のフック３も下段の左右一対のフック３も、上段の左右一対のフック３と左右２個のフック３の間隔と上下位置関係は同じであることを言う。
カレンダー用紙４が有している左右一対の穴６は、上記の左右一対のフック３に掛けるためのものであるため、左右の穴の間隔や上下位置関係はフックのそれと一致するものである。（穴６の大きさに応じて、上記の間隔や上下位置関係は誤差があってもよい。）
フック３は複数のカレンダー用紙４を台紙２に掛けるためのものであり、カレンダー用紙の厚さによるが、フック３の長さ（台紙２の表面から前方への突出し長さ）は１〜３ｃｍ程度で十分である。
左右一対のフック３と上下方向にある他の左右一対のフック３との上下間隔は、使用するカレンダー用紙４の縦方向の長さに概ね等しくする。前記の上下間隔がカレンダー用紙４の縦長より短い場合には、表示するカレンダー用紙４が重なり合うことになるが、用紙に印刷された日付や文字や絵を見ることが可能であれば、それでもよい。
また逆に、カレンダー用紙４が重なり合うことで、不必要な文字や絵を隠すことでもよい。
【００１４】
実施例１は、各月毎のカレンダー用紙を用いた例であり、月表示１３、曜日表示１２と日付表示１１が記載されている。一枚のカレンダー用紙に２カ月分の日付を表示したものであっても本発明の壁掛けカレンダーは効果がある。
カレンダー用紙４の素材は紙や紙のように薄いプラスチックとする。（以下本明細書では紙と表現する）。大きさはＡ５サイズからＡ３サイズ程度が扱い易い。紙質はフック３にカレンダー用紙４を掛けた場合に、上方が垂れたり、撓んだりしないために下記のようなものがよい。
カレンダー用紙が左右一対の穴を有している場合（実施例１の場合）には、紙質は新聞紙のように薄く柔らかなものでもよい。カレンダー用紙が一つの穴６を有している場合（実施例２の場合）には、カレンダー用紙の紙質は、上方左右の角が垂れ下がらない程度の硬さや厚さのある紙がよい。
また、カレンダー用紙４にあけた穴６をフック３に掛け使用することから、穴６のまわりが裂けたり、穴６が広がったりしないような紙の強さが必要である。
【００１５】
穴６の形状は実施例１では楕円形である。穴の形状は円形や三角形等の上方が狭くなっている形状であればよい。但し、穴の頂部が平坦である四角形とか台形等であると、フックが穴の上辺の平坦部に掛ることになり、カレンダー用紙がフックの上で水平に移動し易いので、安定しないためよろしくない。
穴６の大きさは、フック３が入る大きさが必要である。カレンダー用紙４をフックに掛ける動作を容易にするためには、カレンダー用紙表面の日付、文字や絵の障害になら範囲で、穴は大きいほどよい。しかし、穴が大き過ぎるとカレンダー用紙がフックから外れ易くなり、風等がある場所では不都合である。
カレンダー用紙４に設けられた穴６は、重力に対して安定するためにカレンダー用紙４の重心より上方になければならない。重心より下方に穴６を設けるとカレンダー用紙が重力によってフックを中心に回転したり、カレンダー用紙の上方が前面に転倒したりする。それを防ぐためにフックの穴はカレンダー用紙の上方に配置する。
また左右一対の穴の横方向の位置はカレンダー用紙４の重心線７１の左右に一つずつ配置するのがよい。縦方向の位置は、左右２個の穴が高さ的にずれていてもよい。
【００１６】
カレンダー用紙４が左右一対の穴６を有する場合に、穴の位置は台紙に設けたフックの位置と相互に関係するので、詳細位置を決める場合は、壁掛けカレンダーの全体表示状況やデザインを想定して決める必要がある。
【００１７】
実施例１は本発明の壁掛けカレンダー１の使用中を表している。カレンダー用紙４にはそれぞれひと月毎の日付が印字されている。実施例１の状態では、上段のフック４１に４月のカレンダー用紙がありその裏側には１月から３月のカレンダー用紙４４が隠れて掛けられている。中段のフック４２には５月のカレンダー用紙、下段のフック４３には６月のカレンダー用紙とその裏側に７月から１２月までのカレンダー用紙４４が隠れて掛けられている。台紙２のフック３にカレンダー用紙４の穴６を使って一年分のカレダー用紙４を台紙２に掛けることで構成した壁掛けカレンダーである。
【００１８】
最初に１年分の１２枚のカレンダー用紙を、１月を最前面に１２月を最背面になるように揃えて、下段のフック４３であるフック３５とフック３６に掛ける。
１月の、カレンダー使用開始時に１月のカレンダー用紙４を上段のフック４１であるフック３１とフック３２に掛け、２月のカレンダー用紙４を中段のフック４２であるフック３３とフック３４に掛ける。下段のフック４３には３月のカレンダー用紙が掛かって表面に表れてくる。下段のフック４３には４月以降のカレンダー用紙が３月のカレンダー用紙の後ろに隠れている。
【００１９】
この状態で左右一対のフックを上下方向に２段以上のフック３備えた本発明の台紙は、３枚のカレンダー用紙４を表示して、３か月分の日付を一度に見ることができ、便利に利用することができる。（また一枚のカレンダー用紙に２カ月分の日付を印字した場合には６か月分の日付を見ることができ、使い易い。）
一ケ月の経過後には、「中段のフック４２に掛ったカレンダー用紙をつまんで上段のフック４１に掛ける」、「下段フック４３に掛ったカレンダー用紙をつまんで中段のフック４２に掛ける」。この二つの動作で、次の３か月分の日付を表示することができる。
この二つの動作は、従来一般的な月毎に用紙を剥ぎ取る壁掛けカレンダーの「片手で用紙を押える」、「もう一方の手で用紙を剥ぎ取る」、「剥ぎ取った用紙をゴミ箱に捨てる」、という動作よりも容易である。
あるいは一般的な月めくり壁掛けカレンダーで行われる、「カレンダー全体を手に取る」、「用紙をめくる」、「再度カレンダーを壁に掛ける」という動作よりも明らかに本発明の壁掛けカレンダーの動作が容易である。
また、前記連続したカレンダー用紙（特許文献１参照）を使用したカレンダーは、カレンダー用紙を折りたたんだり広げたりする必要がある。カレンダー用紙を摘まんでフックに掛けるだけで容易にカレンダー表示を変更できる本発明の壁掛けカレンダーの方が明らかに使い易い。
【００２０】
また、本発明の壁掛けカレンダー１に予定や記録を記入して使用する場合、下記のような効果がある。
＜１＞  カレンダー用紙４をフック３から容易に外し、また掛けることができるため、カレンダー用紙を机上に置いて、予定や記録を記入することが容易にでき、便利である。
＜２＞カレンダーの表面に出ていない月の予定や記録も、背後に隠れて掛けられているので、前面のカレンダー用紙をめくることで容易に見ることができ、便利である。
＜３＞年末あるいは年度末には、一年間分のカレンダー用紙が上段のフックに重ねて残されているため、記録を見ることや記録を保存するのに便利である。
＜４＞カレンダー用紙４に設ける穴６を左右対称に作成し、年度後半のカレンダーを年度前半のカレンダー用紙の裏側に記載することで、カレンダー用紙の量を半分にすることができる。従って経済的であるとともに、記録用紙として保存する場合に、紙の枚数を半分にすることができる。
【００２１】
また、実施例１のように、カレンダー用紙を下の段から上の段に移動する方法によって、常に月の並びが上から下（上方が４月、下方が６月）に、さらに日付の並びも上から下（上方が１日、下方が３０日）に向かって並べることができる。つまり月の並びも、日の並びも上方が過去、下方が未来の並びで統一させることができる。
月が替わり、カレンダー用紙を移動させても並び順に変化がないので、本発明の壁掛けカレンダーは見易いカレンダーであると言うことができる。
【００２２】
また逆に、最初に１２枚のカレンダー用紙を最上段のフックに重ねて掛け、その後カレンダー用紙を１枚ずつ下方に移動させる方法であってもよい。その場合は、１月の日付の上段に２月の日付というカレンダーの並びになる。
【００２３】
図２〜図７は本発明の壁掛けカレンダーの台紙２に設けた切込線５と切込線５部分を分離して、折り曲げ線６１で折り曲げ、立ち上げて形成したフック３の形状を表す具体例である。
【００２４】
図２はフックの形状具体例１で、台紙２に台形の切込線５を設けた正面図である。
図３は図２の切込線５部分を分離して立ち上げて形成したフック３を側面から見た図である。
【００２５】
図４はフックの形状具体例２で、台紙２に上半円形型の切込線５を設けた正面図である。
図５は図４の切込線５部分を分離して立ち上げて形成したフック３を側面から見た図である。
【００２６】
図６はフックの形状具体例３で、台紙２にハンマー型の切込線５を設けた正面図である。
図７は図６の切込線５部分を分離して立ち上げて形成したフック３を側面から見た図である。
【００２７】
台紙２に設けたフック３はカレンダー用紙４に設けた穴６と、穴の形状、大きさ、間隔、上下位置関係が合えば、上記具体例以外の形状の切込線を切込線部分で分離して立ち上げて形成したものであってもよい。
フックは複数のカレンダー用紙を重ねて掛けることができるような前面への突出し長さと強度が必要である。台紙２及びフック３は一般的な画用紙程度の硬さと厚さが必要である。
上記のように切込線部分で分離して立ち上げて形成するフック３は、紙やプラスチックの台紙２に切込を設けるだけであるため、非常に安価に台紙を製造できる。また、切込線５部分を分離して立ち上げる作業も誰にでも容易にできることであり、かつカレンダーの使用開始時の一度だけの作業であり、手間がかからない。
【実施例２】
【００２８】
図８は本発明の実施例２の正面図（Ａ）と側面図（Ｂ）である。
実施例２の壁掛けカレンダーは、カレンダー吊下げ用台紙２と、この台紙２に設けたフック３に掛ける複数のカレンダー用紙４とよりなり、
前記台紙２のフック３は、切込線５部分で分離して立ち上げて形成し、前記カレンダー用紙４は前記フック３に掛ける１個の穴６を有していることを特徴としている。
実施例２では、台紙２を、台紙２を壁に吊るす装置２２で吊下げた状態において、１個のフック３を台紙２の重心線２１上に２段以上（図８では、フック３７、フック３８、フック３９と３段）設けた前記台紙２と、前記フック３に掛ける１個の穴６を上方に有した複数のカレンダー用紙４とからなる壁掛けカレンダー１を表している。
【００２９】
フック３が台紙２の重心線を外れると、台紙２がねじれたり、ゆがんだりする原因となるため重心線２２上に揃えることが大切である。しかし、台紙が厚く、硬い紙であって、ねじれたりしない程度にフック３が台紙２の重心線２１からの外れることは問題ではない。
【００３０】
実施例２に記載された複数のカレンダー用紙４は前記フック３に掛けるための１個の穴６を用紙の上方に備えている。穴６の位置はカレンダー用紙の重心線７１上に配置する。逆にこの場合、穴６を用いてカレンダー用紙４を掛けることから、穴６は自然とカレンダー用紙の重心線上にあると言うこともできる。肝心なことは、穴６とカレンダー用紙４の重心とを結ぶ線を垂直線として、日付や絵等を傾かないように配置することである。
フック３を台紙２の重心線上に、穴６をカレンダー用紙４の重心線上に配置することは、日付や絵等が傾かないためであって、日付や絵等が見苦しくないことを限度として、フックや穴がそれぞれの重心線上から外れることがあっても問題はない。
【００３１】
図８の本発明の実施例２での壁掛けカレンダーの詳細説明は、前記実施例１と下記の事項を除いて同様である。
違いは台紙２に設けるフック３が縦一列の配置になり、カレンダー用紙４が有する穴６の数が１個になることである。
効果の違いとして、一枚のカレンダー用紙４をフック３に掛ける場合、フック３と穴６が１対１となるため、カレンダー用紙をフックに掛ける作業が非常に単純化し、より容易になると言うことができる。
【００３２】
実施例２のように、台紙２の重心線２１上に、つまり一直線上にフックを縦に揃えて配置することで、台紙の横幅を非常に狭くすることができ、台紙を製作する材料の量を実施例１と較べて半分以下にすることが可能であり、コストを下げることができる。
台紙の横幅は前記したように、フックの突出し長さを３ｃｍとすると、切込線の幅も３ｃｍ必要であり、切込線の両脇に１ｃｍずつ縁として残すと、合計５ｃｍは必要となる。
ＪＩＳのＡ規格の紙を用いた場合、Ａ３（２９７ｍｍ×４２０ｍｍ）を縦に四分割すると、２９７ｍｍを４等分して幅７５ｍｍ以下、長さ４２０ｍｍ以下の台紙が経済的であり、製造し易い。
ＪＩＳのＢ規格の紙を用いた場合、Ｂ３（３６４ｍｍ×５１５ｍｍ）を縦に四分割すると、３６４ｍｍを４等分して幅９１ｍｍ以下、長さ５１５ｍｍ以下の台紙が経済的であり、製造し易い。
結果として、台紙の幅は５ｃｍ以上、９１ｍｍ以下が製造しやすい台紙であり、コストが安い。台紙の長さに関しては、利用者がホッチキス等で容易に連結することが可能であり、特に製造時のコストよりも、カレンダー用紙も含めた壁掛けカレンダーとしてのデザイン性を追求する方がよい。
尚、台紙２の表面にも、絵や装飾を施すことは可能である。
【実施例３】
【００３３】
図９は本発明壁掛けカレンダー１の実施例３の一部の正面図（Ａ）と側面図（Ｂ）である。説明のためにカレンダー用紙４を１枚だけ台紙２のフック３に掛けた状態を表している。実施例３では、カレンダー用紙４の有する穴６は、挿入したフック３を穴６の上方へガイドするスリット７を有している壁掛けカレンダー１を表している。
【００３４】
図１０は、図９における台紙２の下方に配置されたフックが、切込線５部分で分離して立ち上げられる前の状態を表したＡ部の拡大説明図であり、フックの形状具体例４を表している。
フックの形状具体例４（図１０）は、切込線５部分を分離して立ち上げてフックを形成する際の折り曲げ線６１の方向を、台紙２を壁に吊下げたときの重力方向６２と平行としている。また、前記折り曲げ線６１の長さ６３を２ｃｍ以上としてフック３を形成する。
フック３は紙製であるため、折れたり撓んだりし易い。そのため、紙を平面的に利用しないで、紙の強い方向である紙の厚みを縦の方向で利用するために、折り曲げ線６１の方向が、カレンダー使用中の状態の重力方向６２と平行となるように切込線５を設け、フック３を形成する。
このフックの形状具体例４で形成したフックは、後記で説明するカレンダー用紙にある穴６が有するスリット７と相まって、カレンダー用紙の揺れを少なくする効果、カレンダー用紙がフックから脱落することを少なくする効果をもたらす。
フック３は前記したように、最大で１２枚（１年分）のカレンダー用紙４を重ねて掛ける状態も想定される。１２枚の紙の厚さとフックという突出しの長さをあわせて、台紙前面に突き出す、突出し長さは最少１ｃｍ程度から概ね３ｃｍを必要としている。最少の１ｃｍ突き出す場合であっても、フックがカレンダー用紙の重みで曲がらないよう、垂れ下がらないよう、かつねじれないように、突出しの長さの２倍の２ｃｍを最少の折り曲げ線の長さと考える。
切込線５（立ち上げるとフック３になる）の形状はカレンダー用紙４がフック前面に落ちないように、傾斜部９１を設ける。また、カレンダー用紙４を重ねてフックに掛けることができるように平坦部９２を設けるとよい。カレンダー用紙４を重ねて掛ける平坦部９２は傾斜部９１と同様に傾斜があってもよい。
【００３５】
図１１は、図９の台紙２のフック３にカレンダー用紙４が掛けられている状態を正面から見た状態を表しているＢ部の拡大説明図である。
図１１は本発明のカレンダー用紙４が有する別な形状の穴６を表している。
実施例３のカレンダー用紙４が有する穴６は、穴６の下方８４の幅の広い部分に挿入したフック３を穴６の上方８１へガイドするスリット７を有していることを特徴としている。
つまり、穴６の上方８１の形状をスリット７としている。スリット７の幅８２は前記フック３の厚みと同程度あるいはそれ以下とし、長さ８３は前記切込線５の前記折り曲げ線６１の長さ６３以上とする。また、穴６の下方８４の幅８５をスリット７より広げた形状として、いわばフック３の挿し込み口８であって、フック３を挿入し易くしていることを特徴とした穴６である。
スリット７は挿入したフック３を容易に穴６の上方にガイドして、フック３をしっかりと穴６の頂点に収める役割をする。
ここでフック３の厚みとは、つまり台紙２の素材の紙またはプラスチックの厚みである。
【００３６】
スリット７は上記の役割の他に以下のような機能がある。
図１０及び図１１で表されているように、台紙２のフック３とカレンダー用紙４のスリット７を有した穴６との関係は、一般的な物を吊るすフックと吊るされる物との関係と異なり、フック３の頂点でカレンダー用紙４を支えるだけではなく、フック３の側面（紙の表面と裏面の両方）が、スリット７の側面（カレンダー用紙の厚み面）と接触している。つまりカレンダー用紙４がフック３にフックの頂点と側面とで接触しているため、カレンダー用紙が振れたり、揺れたりすることが極端に少なくなる効果がある。フック３のねじれに対する抵抗力が、カレンダー用紙４の揺れを制御する効果がある。
この点に、フック３が台紙２に設けた切込線部分を分離して立ち上げて形成したフックであることの利点がある。フック３は紙製であるため、折り曲げ線の長さと突出し長さとでつくられる側面が形成される利点である。一般的なフックである、釘や、鋲、所謂フックなどでは、側面は棒状であって、フック自体がねじれることはなく、カレンダー用紙は所謂フックを軸に回転してしまうため、カレンダー用紙の揺れを制御することはできない。
また、フック３がカレンダー用紙４の穴６にスリット７の長さ８３分だけ深くに収まり、かつ穴（スリット７）の側面がフック３を挟み込むように窮屈に接触しているため、多少の風等でカレンダーが動揺しても、カレンダー用紙４がフック３から脱落することが少なくなる効果がある。
このような理由で、本発明の壁掛けカレンダーは揺れも少なく見易い、カレンダー用紙の脱落の少ない、扱い易いカレンダーであるということができる。
【００３７】
穴６の下方８４は穴の上方（スリット形状）より幅を広げた形状とする。これは、フック３を穴６に挿入するときに、（穴の上方８１がスリット状で幅が狭くフックを挿入し難いため）フック３の挿入を容易にするためである。穴６の下方８４の部分にまずフックの先端を挿入する。その後フック全体を挿入した状態のまま、フック３がスリット７をガイドとして穴の上方に移動するように、カレンダー用紙４を動かす。このような動作で、フック３を容易に穴６に挿入することができ、またフック３を容易に穴６の幅の狭いスリット状の上方８１に収めることができる。
そのため、穴６の下方から上方への変化点では徐々に幅が狭くなるようにするとよい。
【００３８】
図１、８、９及び図１５で押え片９を表示している。押え片９は、カレンダー用紙４を台紙２に掛けたときのカレンダー用紙２の上辺位置に、台紙２に設ける、カレンダー用紙４の脱落防止の装置である。
押え片９は、本発明の壁掛けカレンダー１を玄関や窓辺等の風の強い場所で使用する場合を想定した装置であり、カレンダー用紙４がフック３から脱落を防ぐ装置である。
押え片９は台紙２が紙やプラスチックの素材であるから製作可能な装置であり、台紙２の前記の位置に爪状の切込線（押え片の切込線）を設けるだけでよい。寸法は人間の爪程度の大きさでよい。押え片９の使用方法は、カレンダー用紙４をフック３に掛けた後、紙やプラスチックの特性である撓む、曲がる、ゆがむ性質を利用して、押え片９の切込線を分離して押え片９を押し広げてカレンダー用紙４の前面に押え片９を、爪を掛けるように引っ掛けるだけで機能させることができる。ここに、台紙２の素材が木材等の板状の物では不都合である理由がある。
カレンダー用紙４は台紙２のフック３と押え片９の間に上下から挟まれ、どのような強い風に煽られても、紙が破られない限りフック３から外れることはなくなる。台紙２に押え片９の切込線を設けるだけであるから費用は安い、かつ機能は確かである。
【実施例４】
【００３９】
図１２は本発明実施例４（図１３）に表す、カレンダー用紙が比較的大きい場合に使用する、ダミー穴１０を設けたカレンダー用紙４を表している。
カレンダー用紙４は、カレンダー用紙上方に設けられた穴６の下方向に、下段のフック３の位置する部分に、フックは貫通するが、そのフックにカレンダー用紙を掛けることのない少し大きめな穴であるダミー穴１０を有している。
カレンダー用紙が比較的大きい場合には、下段のカレンダー用紙の約上半分を覆い隠すように掲示する場合がある。そのような場合、下段にあるフックが突起物となって、前面のカレンダー用紙の平坦性を損ね、カレンダーが見にくくなる。そのような現象が生じないように、あらかじめ下段のフックの位置する部分に、フックが貫通できる穴１０を設けた例である。
【００４０】
図１３は本発明の実施例４の正面図（Ａ）と側面図（Ｂ）である。図１２のカレンダー用紙を掲示した場合の実施例である。下段（５月）のカレンダー用紙４を掛けるためのフック３の突出しが、上段（４月）のカレンダー用紙４の平坦性を損ねる。それを防ぐために、カレンダー用紙４のその位置に設けるダミー穴１０を設けている。
このようにダミー穴は、絵等が比較的大きく、カレンダー用紙が大きい場合には、カレンダー用紙を重ねて掲示した方がよい場合に利用される。本発明の壁掛けカレンダーはカレンダー用紙にダミー穴１０を設けるだけで、使い易い壁掛けカレンダーを提供することができる。
【実施例５】
【００４１】
図１４は本発明実施例５（図１５）に用いる、上方に絵等１５を掲示したカレンダー用紙４の図である。カレンダー用紙４に掲示する絵等１５が用紙の半分に満たない場合に適用する本発明の壁掛けカレンダーの適用例である。つまり、カレンダー用紙４の上方（重心より上）に設けた穴６より上に収まる絵等である場合に適用する。
通常、各々のカレンダー用紙に絵等が表示されるが、季節感や変化を感じさせるためにはシンボルである絵等は一つだけが表面に掲示され、日付等は数か月分が掲示されていると便利で見易いカレンダーであると言える。
【００４２】
図１５は本発明の実施例５の正面図（Ａ）と側面図（Ｂ）であり、前記の図１４のカレンダー用紙を使用した実施例を表している。カレンダー用紙に有した穴６よりも上方に絵等を掲載している。上から二段目以下のカレンダー用紙の絵等は、上段に位置するカレンダー用紙によって隠れて見えないようになっている。つまり、日付は三か月分を掲示することができ、いくつも表示されると目障りである絵等は一つだけを表示することができる本発明のカレンダーの便利な使い方を表している。
言い換えると便利な使い方とは、本発明の壁掛けカレンダーは、フック３と穴６相互の位置を計画的に定めることによって、カレンダー用紙４を意図的にオーバーラップさせて表示することができる点である。オーバーラップして日付や絵等の一部分を隠して表示する方法は、従来のカレンダーにない便利な利用方法である。
【００４３】
実施例５は、カレンダー用紙４はスリット７を有した穴６を有しており、上段のカレンダー用紙４は押え片９によって、風などに対するカレンダー用紙の外れ止めがなされている壁掛けカレンダーである。
実施例５では、台紙２を壁に吊る装置２２は、台紙２に穴を設けただけの装置である。この穴を使って壁にある釘や鋲に本発明の壁掛けカレンダーを掛ける装置である。
【実施例６】
【００４４】
図１６は本発明の有効な利用法の一例を表す実施例６の正面図（Ａ）と側面図（Ｂ）である。
本発明のカレンダー用紙４は、従来の一般的な壁掛けカレンダーの用紙のように用紙の上辺で吊り具によって固定されていない。カレンダー用紙４の重心より上方にあるフックによって支持されている。また本発明のカレンダー用紙４を机上に置いたり、立掛けたりしないため底辺が平坦である必要がない。そのため、カレンダー用紙４の形状に極めて自由な形状が可能である。図１６ではカレンダー用紙４はハート型であるが、例えば円形やひし形や花の形であっても掲示が可能である。
また本発明のカレンダー用紙４を裏側からフック３に掛けることで、左右が反転することになるが、用紙の裏面も利用することが可能である。図１６の実施例の最上段のカレンダー用紙４は裏面が表示されている。３月のカレンダー用紙４の裏側に４月を表すイメージの絵等１５を記載することで、このようなカレンダーを提供できる。
これはひとえに、穴６を有したカレンダー用紙４を台紙２に設けたフック３に掛けるだけであるから可能であり、本発明のカレンダーはデザイン的自由度が高く、コスト的に有利なカレンダーであると言うことができる。
【実施例７】
【００４５】
図１７は本発明の有効な利用法の一例を表す実施例７の正面図（Ａ）と側面図（Ｂ）である。
実施例７は、月毎のカレンダー用紙の形状を変えて、デザイン性を向上することができる例を表したものである。
【実施例８】
【００４６】
図１８は本発明の別な有効な利用法の一例を表す実施例８の正面図（Ａ）と側面図（Ｂ）である。
実施例８は、壁掛けカレンダー１全体の重力バランスを確保しながら（カレンダーの表示が傾かないようにしながら）、台紙２に設けたフック３の位置を左右にずらして、デザイン性を向上することができる例を表したものである。
【００４７】
本発明のカレンダー用紙４は紙に日付を印刷し、穴６を設けるだけで製作可能である。また、台紙２は切込線５と台紙２を壁に吊る装置２２（台紙に穴をあけるだけでもよい）を設けるだけ製作可能である。従って製作コストが安い。さらに、本発明の壁掛けカレンダーは、月毎のカレンダー表示の変更が容易で、多様なデザインが可能な壁掛けカレンダーであるということができる。
【００４８】
以上説明したように、本発明の壁掛けカレンダーは、台紙２とカレンダー用紙４以外の補助的材料や部品を一切必要としないカレンダーである。
また、台紙２とカレンダー用紙４とは、それぞれに設けられたフック３と穴６との相互の寸法、位置、構造等の関係によって、二つが相まって本発明の壁掛けカレンダーを構成している。
【図面の簡単な説明】
【００４９】
【図１】本発明の実施例１を表した図であり、（Ａ）は正面図、（Ｂ）は側面図である。
【図２】フックの形状具体例１、台紙に切込線を設けた正面図。
【図３】具体例１の切込線を切込線部分で立ち上げて形成したフックの側面図。
【図４】フックの形状具体例２、台紙に切込線を設けた正面図。
【図５】具体例２の切込線を切込線部分で立ち上げて形成したフックの側面図。
【図６】フックの形状具体例３、台紙に切込線を設けた正面図。
【図７】具体例３の切込線を切込線部分で立ち上げて形成したフックの側面図。
【図８】本発明の実施例２を表した図であり、（Ａ）は正面図、（Ｂ）は側面図である。
【図９】本発明の実施例３を表した図であり、（Ａ）は正面図、（Ｂ）は側面図である。
【図１０】図９のＡ部の拡大説明図（フックの形状具体例４）である。
【図１１】図９のＢ部の拡大説明図である。
【図１２】実施例４のカレンダー用紙の説明図である。
【図１３】本発明の実施例４を表した図であり、（Ａ）は正面図、（Ｂ）は側面図である。
【図１５】実施例５のカレンダー用紙の説明図である。
【図１４】本発明の実施例５を表した図であり、（Ａ）は正面図、（Ｂ）は側面図である。
【図１６】本発明の実施例６を表した図であり、（Ａ）は正面図、（Ｂ）は側面図である。
【図１７】本発明の実施例７を表した図であり、（Ａ）は正面図、（Ｂ）は側面図である。
【図１８】本発明の実施例８を表した図であり、（Ａ）は正面図、（Ｂ）は側面図である。
【図１９】従来の壁掛けカレンダーの正面図。
【符号の説明】
【００５０】
１：本発明の壁掛けカレンダー
２：台紙
３：フック
４：カレンダー用紙
５：切込線
６：穴
７：スリット
８：挿し込み口
９：押え片
１０：ダミー穴
１１：日付表示
１２：曜日表示
１３：月表示
１４：年度表示
１５：絵等
２１：台紙の重心線
２２：台紙を壁に吊る装置
３１、３３、３５：左側のフック
３２、３４、３６：右側のフック
３７、３８、３９：台紙の重心線上にあるフック
４１：上段のフック
４２：中段のフック
４３：下段のフック
４４：後ろに隠れたカレンダー
６１：折り曲げ線
６２：重力方向
６３：折り曲げ線の長さ
７１：カレンダー用紙の重心線
８１：穴の上方
８２：スリットの幅
８３：スリットの長さ
８４：穴の下方
８５：穴の下方の幅
９１：傾斜部
９２：平坦部
【図１２】
0005849347.tif 000002
【図１３】
0005849347.tif 000003
【図１４】
0005849347.tif 000004
【図１５】
0005849347.tif 000005
【図１６】
0005849347.tif 000006
【図１７】
0005849347.tif 000007
【図１８】
0005849347.tif 000008
【図１９】
0005849347.tif 000009
【図１】
0005849347.tif 000010
【図２】
0005849347.tif 000011
【図３】
0005849347.tif 000012
【図４】
0005849347.tif 000013
【図５】
0005849347.tif 000014
【図６】
0005849347.tif 000015
【図７】
0005849347.tif 000016
【図８】
0005849347.tif 000017
【図９】
0005849347.tif 000018
【図１０】
0005849347.tif 000019
【図１１】
0005849347.tif 000020